(57)【特許請求の範囲】
【請求項１】
ＩＣカードに設けられたソケットコンタクトを接続する多数本のピンコンタクトと、横方向に平行状態で配列された１列、あるいは上下複数列の前記ピンコンタクトを取り付けたピンハウジングと、前記ピンコンタクトを覆うように前記ピンハウジングに取り付けられたシュラウド板とを備え、前記ピンハウジングには、横方向に隣り合う前記ピンコンタクト間の少なくとも１箇所以上の縦方向に溝を設け、前記ピンコンタクトは、前記ピンハウジングの後面部から突出する前記ピンコンタクトの接続部を有し、この接続部の横方向に隣り合う前記ピンコンタクトの前記接続部間をシールドするシールド板を配設し、前記縦方向の溝に前記シュラウド板の一部に形成した切り起こし部、または前記シールド板の一部に形成した切り起こし部を挿入して前記横方向に隣り合う前記ピンコンタクト間を前記ピンハウジング内にてシールドし、前記シュラウド板の一部に形成した切り起こし部、または前記シールド板の一部に形成した切り起こし部により前記横方向に隣り合う前記ピンコンタクトの前記接続部間をシールドし、前記シールド板と前記シュラウド板とを１枚の金属板で一体形成したことを特徴とするＩＣカード用コネクタ装置。
【発明の詳細な説明】
【０００１】
【発明の属する技術分野】
本発明は、ＩＣカードを抜き差しして使用される機器に挿着されるＩＣカード用コネクタ装置に関する。
【０００２】
【従来の技術】
従来のＩＣカード用コネクタ装置に使用するＩＣカード１は、図９に示すように、多数個のソケットコンタクト（図示せず）を内部に取り付けたソケット部１ａを有し、このソケット部１ａの上部には、複数のディンプル１ｂを有する金属板１ｃが取り付けられている。
このようなＩＣカード１が挿入されて装着されるＩＣカード用コネクタ装置は、図８の要部断面図に示すように、矢印Ａ方向からＩＣカード１が挿入されるスロット側Ｓが形成されている。
このスロット側Ｓには、上下に案内面２ａ、２ａを有するハウジング２が配設され、上方の案内面２ａには薄い金属板等からなるシュラウド板３が取り付けられている。このシュラウド板３は、スロット側Ｓの前方に引き出され、案内部２ａを構成する側壁２ｂの上面に密着するように折り曲げられて、ハウジング２の上面を覆うように取り付けられている。
【０００３】
またハウジング２には、前記案内面２ａに挿入された、ＩＣカード１のソケットコンタクト（図示せず）が接続するための多数本のピンコネクタ４が、横方向に平行状態に配列して取り付けられている。
このピンコネクタ４は、端子部４ａがスロット側Ｓ方向に突出して、ハウジング２に抜け止めされて取り付けられている。
また前記ピンコネクタ４は、接続部４ｂがハウジング２の後面部２ｃから後方に突出して略直角に下方に折り曲げられている。
この下方に折り曲げられたピンコンタクト４の接続部４ｂは、プリント基板５の回路パターン（図示せず）に半田付け等で接続されている。
【０００４】
また、ハウジング２の上方に取り付けられたシュラウド板３も、図示しない配線等でプリント基板５のアースパターン（図示せず）に半田付け等で接続されている。
そして、ＩＣカード１を矢印Ａ方向から挿入し、ソケット部１ａをハウジング２の案内面２ａの奥まで挿入すると、ソケットコンタクト（図示せず）が多数本のピンコンタクト４の端子部４ａに挿入され、ディンプル１ｂがシュラウド３に接触する。
ディンプル１ｂを有する金属板１ｃで、ＩＣカード１側のシールドと、シュラウド板３でピンコンタクト４側のシールドを行っていた。
【０００５】
【発明が解決しようとする課題】
しかし、前述のような従来ＩＣカード用コネクタ装置は、シュラウド板３でピンコンタクト４側のシールドだけでは、上下２列のピンコンタクト４間、あるいは横方向の隣り合うピンコンタクト４間がシールドされないため、シールド効果が不十分で、ピンコンタクト４間の電気的信号干渉の低減と、反射特性の最適化ができなかった。
そのために、ピンコンタクト４間のクロストーク対策が十分でなく、カードバス特性が悪くなり高性能のＩＣカードのコネクタを提供することができなかった。
本発明のＩＣカードコネクタは前述のような課題を解決して、高性能のＩＣカードコネクタを提供することを目的とする。
【０００６】
【課題を解決するための手段】
前記課題を解決するための第１の手段として本発明のＩＣカード用コネクタは、ＩＣカードに設けられたソケットコンタクトを接続する多数本のピンコンタクトと、横方向に平行状態で配列された１列、あるいは上下複数列の前記ピンコンタクトを取り付けたピンハウジングと、前記ピンコンタクトを覆うように前記ピンハウジングに取り付けられたシュラウド板とを備え、前記ピンハウジングには、横方向に隣り合う前記ピンコンタクト間の少なくとも１箇所以上の縦方向に溝を設け、前記ピンコンタクトは、前記ピンハウジングの後面部から突出する前記ピンコンタクトの接続部を有し、この接続部の横方向に隣り合う前記ピンコンタクトの前記接続部間をシールドするシールド板を配設し、前記縦方向の溝に前記シュラウド板の一部に形成した切り起こし部、または前記シールド板の一部に形成した切り起こし部を挿入して前記横方向に隣り合う前記ピンコンタクト間を前記ピンハウジング内にてシールドし、前記シュラウド板の一部に形成した切り起こし部、または前記シールド板の一部に形成した切り起こし部により前記横方向に隣り合う前記ピンコンタクトの前記接続部間をシールドし、前記シールド板と前記シュラウド板とを１枚の金属板で一体形成した構成とした。
【０００７】
【発明の実施の形態】
本発明のＩＣカード用コネクタ装置の実施の形態を図１から図７に基づいて説明する。図１は本発明のＩＣカード用コネクタ装置にＩＣカードが挿着された状態を示す平面図、図２は本発明の第１の実施の形態の要部断面図、図３は本発明の第１の実施の形態の要部斜視図、図４は本発明の第２の実施の形態の要部斜視図である。
図５は本発明の第３の実施の形態の概略側面図、図６は本発明の第４と第５の実施の形態の斜視図、図７は本発明の第６の実施の形態の要部斜視図である。
また従来の技術で説明したＩＣカード１は、同一のものを本発明のＩＣ用コネクタ装置に使用するので、同一の番号を付して説明する。
【０００８】
まず、本発明のＩＣカード用コネクタ装置の第１の実施の形態は、図１に示すように、従来の技術で説明したＩＣカード１に設けられたソケットコンタクト（図示せず）を接続する、多数本のピンコンタクト１１が横方向に平行状態に配列して上下２列に取り付けられたピンハウジング１２が配設されている。
前記ピンコンタクト１１は略円柱状の金属から成り、図２に示すように、一端側がピンハウジング１２の前面部１２ａから前方に突出し、その先端が略円錐形に形成された端子部１１ａと、他端側がピンハウジング１２の後面部１２ｂから後方に突出する接続部１１ｂが下方に略Ｌ字状に折り曲げられている。
また、ピンコンタクト１１は、ピンハウジング１２の内部に位置する部分に端子部１１ａの外形より大きな外形で形成された抜け止め部１１ｃを有し、この抜け止め部１１ｃが圧入等でピンハウジング１２に抜け止めされて取り付けられている。そのために、ＩＣカード１のソケットコンタクトが強い力で挿入されても、ピンコンタクト１１はピンハウジング１２から抜けないようになっている。
【０００９】
また、ピンハウジング１２は成形材料等から成り、図２〜３に示すように、前方が略コ字状に形成され、このコ字状内部の底部に前面部１２ａが形成され、後方が平坦面の後面部１２ｂが形成され、後面部１２ｂの中央部の上下２列の横方向に角孔状のピン圧入孔１２ｃが、後面部１２ｂから前面部１２ａにかけて貫通形成されている。
また、前記上下２列のピン圧入孔１２ｃ間に、後述するシールド部材１８の板厚寸法よりやや広めの第１溝１２ｄが形成され、この第１溝１２ｄは、前面部１２ａまで貫通、または途中までの所定深さで、成形加工等により形成されている。
【００１０】
また、図１に示すように前記ＩＣカード１を着脱するときの、ＩＣカード１を幅方向の両側からガイドする一対のフレーム１３、１３が形成され、このフレーム１３、１３には、前端部がカード挿入口１３ａを規定する一対の凹溝形成部１３ｂ、１３ｂと、これら凹溝形成部１３ｂの後方端部を連結する橋絡部１３ｃとが設けられている。
この橋絡部１３ｃの下部に前記ピンハウジング１２が取り付けられ、ピンハウジング１２に取り付けられたコンタクトピン１１の端子部１１ａがカード挿入口１３ａを臨むようになっている。
また、前記フレーム１３の橋絡部１３ｃには、挿着されているＩＣカード１を抜き取るためのイジェクトレバ１４が配設されている。
【００１１】
そして前記橋絡部１３ｃの中間部には、イジェクトレバ１４の中間部に形成されている軸孔（図示せず）内に挿通される円形ボス（図示せず）が突出して設けられている。
この円形ボスを回動軸としてイジェクトレバ１４はフレーム１３に回動自在に支持される。
更にフレーム１３の一方の凹溝形成部１３ｂの外側にはロッド支持枠１３ｄが突設され、このロッド支持枠１３ｄによって、前後方向に進出自在に支持されるプッシュロッド１５が配設されている。
そして、イジェクトレバ１４の一端部が、プッシュロッド１５の後端部と係合し、挿入されているＩＣカードに当接するイジェクトレバ１４の他端部が、このイジェクトレバ１４の回動に伴って前後方向に若干量進出後退するようになっている。
【００１２】
即ち、本発明のＩＣカード用コネクタ装置は、ＩＣカード１がカード挿入口１３ａからフレーム１３内へ挿入されてソケット部１ａがピンハウジング１２内に進出すると、イジェクトレバ１４の他端部がＩＣカード１に押し込まれて後退し、それに伴ってプッシュロッド１５が手前に移動して、ＩＣカード１内のソケットコンタクト（図示せず）が、ピンコンタクト１１の端子部１１ａに接続されて、ＩＣカード１の挿着が完了する。また、挿着状態のＩＣカード１を抜き取る際には、プッシュロッド１５を押し込めば、フレーム１３から突出しているイジェクトレバ１４の端部が図１で２点鎖線で示す上方側に移動するように回転してイジェクトレバ１４の他端部が前方に進出しようとするので、ＩＣカード１はイジェクトレバ１４の他端部に押し込まれてピンコンタクト１１から離脱し、簡単に手でカード挿入口１３ａから抜き取ることができようになっている。
【００１３】
また、図１に示すピンハウジング１２の後方で図示上方には、回路パターン（図示せず）とグランドパターン（図示せず）とが形成されたプリント基板１６が配設され、このプリント基板１６に前記下方に折り曲げられたピンコンタクト１１の接続部１１ｂが回路パターンに半田付け等で取り付けられている。
また図２に示すように、ピンハウジング１２の下方にはバネ性を有する金属板から成るのシュラウド板１７が配設され、このシュラウド板１７はピンハウジング１２から前方に突出する平坦状の前方部１７ａが形成されている。
この前方部１７ａの一部が図３に示すように、切り曲げされて舌片状のディンプル接触部１７ｂが形成され、このディンプル接触部１７ｂに前記ＩＣカード１のディンプル１ｂが接触して、ディンプル１ｂを有する金属板１ｃがアースされて、ＩＣカード１に設けられたソケットコンタクト（図示せず）がシールドされるようになっている。
【００１４】
また、シュラウド板１７には、後方部の側端部には上方におり曲げ形成された接続部１７ｃと、後端部の一部には短冊状の半田付け部１７ｄが形成されて、この半田付け部１７ｄが前記プリント基板１６のグランドパターン（図示せず）に半田付けされて、シュラウド板１７をアースするようになっている。
また、ピンハウジング１２の第１溝１２ｄに挿入されて、前記２列のピンコンタクト１１間をシールドするシールド部材１８は金属板等から成り、図３に示すように平坦部１８ａと、この平坦部１８ａの端部に略Ｌ字状の接続部１８ｂが折り曲げ形成されている。そして、図２に示すように、ピンハウジング１２の第１溝１２ｄにシールド部材１８の平坦部１８ａが挿入され、前記接続部１８ｂがシュラウド板１７の接続部１７ｃに当接されて、半田付け等により、電気的に接続され、シールド部材１８により上下２列のピンコネクタ１１間をシールドするようになっている。
【００１５】
また、本発明のＩＣカード用コネクタ装置の第２の実施の形態は、図４に示すように、第１溝１２ｄの上方あるいは下方のいずれか一方、または上方と下方の両側、即ち、第１溝１２ｄの上方あるいは／および下方に配列されたピンコンタクト１１の隣り合うピンコンタクト１１間に、第１溝１２ｄと連接された第２溝１２ｅ／１２ｆが少なくとも１個以上形成されている。
またシールド部材１８には上方側あるいは／および下方側に突出する切り起こし部１８ｃ／１８ｄを形成し、第１溝１２ｄにシールド部材１８の平坦部１８ａを挿入すると共に、切り起こし部１８ｃ／１８ｄを第２溝１２ｅ／１２ｆに挿入し、平坦部１８ａで上下２列のピンコンタクト１１間をシールドすると共に、切り起こし部１８ｃ／１８ｄで、横方向に隣り合うピンコンタクト１１間をシールドするようになっている。
また、前述した第１と第２の実施の形態のシールド部材１８は、その平坦部１８ａをピンハウジング１２にインサート成形等により取り付けてもよい。
また、前記第１と第２の実施の形態は、シュラウド部材１７の接続部１７ｃをシールド部材１８の接続部１８ｂに当接し、この当接部を半田付け等で電気的に接続する方法で説明したが、前記シールド部材１８をシュラウド板１７に接続しないで、プリント基板１６のグランドパターン（図示せず）に配線（図示せず）等で半田付けしたものでもよい。
【００１６】
また、本発明のＩＣカード用コネクタ装置の第３の実施の形態は、図５に示すように、例えば前記ピンハウジング２２の上面に、金属板等から成るシュラウド板２７を取り付け、このシュラウド板２７の一部に、切り起こし部２７ａを下方側に向かって切り起こし形成し、この切り起こし部２７ａで前記横方向に平行状態で配列された１列、あるいは上下複数列のピンコンタクト１１の、横方向に隣り合うピンコンタクト１１間をシールドするようになっている。
また、この第３の実施の形態のシュラウド板２７は、前記切り起こし部２７ａを横方向のピンコンタクト１１間に位置させて、切り起こし部２７ａをピンハウジング２２にインサート成形等により取り付けられて、ピンハウジング２２とシュラウド板２７とが一体化されている。
【００１７】
また、本発明のＩＣカード用コネクタ装置の第４の実施の形態は、図６に示すように、ピンハウジング３２は、前記横方向に隣り合うピンコンタクト１１間の少なくとも１箇所以上の縦方向に溝３２ｄを設け、この溝３２ｄにシュラウド板２７の切り起こし部２７ａを挿入し、前記横方向に隣り合うピンコンタクト１１間をシールドするようになっている。
【００１８】
また、本発明のＩＣカード用コネクタ装置の第５の実施の形態は、図６に示すように、前記ピンコンタクト１１は少なくともピンハウジング３２の後面部３２ｂから突出する接続部１１ｂを有している。また、シュラウド板２７に電気的に接続され（図示せず）、ピンコンタクト１１の前記接続部１１ｂの上方をシールドするシールド板２８を配設し、このシールド板２８の一部に、切り起こし部２８ａを下方に切り起こして形成し、このシールド板２８を矢印方向に移動させて、２点鎖線で示すように、切り起こし部２８ａを接続部１１ｂの隣り合うピンコネクタ１１間に介在させる。
そして、切り起こし部２８ａで、前記横方向に隣り合うピンコンタクト１１の接続部１１ｂ間をシールドするようになっている。
【００１９】
また、本発明のＩＣカード用コネクタ装置の第６の実施の形態は、図７に示すように、  前述の第５の実施の形態のシュラウド板２７とシールド板２８とを１枚の金属板で一体してシュラウド板３７を形成し、このシュラウド板３７を例えばピンハウジング３２の上部に配設した構成になっている。
前記シュラウド板３７には、一方と他方の２種類の切り起こし部３７ａ、３７ｂがそれぞれ少なくとも１箇所以上に形成され、シュラウド板３７の移動により、一方の切り起こし部３７ａをピンハウジング３２の溝３２ｄに挿入し、他方の切り起こし部３７ｂを接続部１１ｂの隣り合うピンコネクタ１１間に介在させるようにした。
また、前記第３〜第５の実施の形態の変形例として、図示は省略するが、シュラウド板２７を切り起こし部２７ａのない平坦状に形成し、ピンハウジング２２、または３２には図示しないシールド部材を横方向に隣り合うピンコンタクト１１間にインサート成形等で配設し、このシールド部材の端部を前記平坦状のシュラウド板２７に半田付け等で電気的に接続して、前記隣り合うピンコンタクト１１間をシールドするようにしたものでもよい。
【００２０】
【発明の効果】
本発明のＩＣカード用コネクタ装置は、ピンハウジングには、横方向に隣り合う前記ピンコンタクト間の少なくとも１箇所以上の縦方向に溝を設け、少なくとも前記ピンハウジングの後面部から突出する前記ピンコンタクトの接続部の、横方向に隣り合うピンコンタクタ間をシールドするシールド板を配設し、前記縦方向の溝に前記シュラウド板の一部に形成した切り起こし部、または前記シールド板の一部に形成した切り起こし部を挿入して前記横方向に隣り合うピンコンタクト間をシールドし、前記シールド板と前記シュラウド板とを１枚の金属板で一体形成したので、ピンハウジング内のピンコンタクト間だけでなく、ピンハウジングの後面部から突出するピンコンタクト間も確実にシールドできる。
また、ピンハウジングに形成した縦方向の溝にシュラウド板に形成した切り起こし部、またはシールド板に形成した切り起こし部を挿入することで、横方向に隣り合うピンコンタクト間をシールドすることができ、組立性が良い。
また、シールド板とシュラウド板とを１枚の金属板で一体形成したので、半田付け作業等が不要になり、更に組立効率のよいＩＣカード用コネクタ装置を提供することができる。
【図面の簡単な説明】
【図１】本発明のＩＣカード用コネクタ装置の平面図、
【図２】本発明のＩＣカード用コネクタ装置の第１の実施の形態の要部断面図。
【図３】本発明のＩＣカード用コネクタ装置の第１の実施の形態の要部斜視図。
【図４】本発明のＩＣカード用コネクタ装置の第２の実施の形態の要部斜視図。
【図５】本発明のＩＣカード用コネクタ装置の第３の実施の形態の概略側面図。
【図６】本発明のＩＣカード用コネクタ装置の第４と第５の実施の形態の要部斜視図。
【図７】本発明のＩＣカード用コネクタ装置の第６の実施の形態の要部斜視図。
【図８】従来のＩＣカード用コネクタ装置の要部断面側面図。
【図９】従来および本発明のＩＣカード用コネクタ装置に用いるのＩＣカードの平面図と側面図。
【符号の説明】
１１  ピンコンタクト
１１ａ  端子部
１１ｂ  接続部
１１ｃ  抜け止め部
１２  ピンハウジング
１２ａ  前面部
１２ｂ  後面部
１２ｄ  第１溝
１２ｅ、１２ｆ  第２溝
１３  フレーム
１４  イジェクトレバ
１５  プッシュロッド
１６  プリント基板
１７  シュラウド板
１７ａ  前方部
１７ｂ  ディンプル接触部
１７ｃ  接続部
１７ｄ  半田付け部
１８  シールド部材
１８ａ  接続部
１８ｃ、１８ｄ  切り起こし部
【図１】
0003539861.tif 000002
【図２】
0003539861.tif 000003
【図３】
0003539861.tif 000004
【図４】
0003539861.tif 000005
【図５】
0003539861.tif 000006
【図６】
0003539861.tif 000007
【図７】
0003539861.tif 000008
【図８】
0003539861.tif 000009
【図９】
0003539861.tif 000010